(57)【要約】【課題】効率的にアナログ放送の代替となるデジタル放送へ切り替える。【解決手段】受信装置であって、共通するサービスを提供するアナログ放送とデジタル放送とを関連付けたリストを記憶する記憶部と、アナログ放送の出力要求を受け付けると、リストを参照して対応するデジタル放送の有無を判定するリスト判定部と、出力要求に係るアナログ放送の周波数の隣接周波数帯の放送信号を検知する隣接周波数帯信号検知部と、出力するサービスを特定する出力情報特定部と、出力情報特定部により特定されるサービスを出力する出力部と、を備え、出力情報特定部は、リスト判定部により対応するデジタル放送がないと判定され、かつ隣接周波数帯信号検知部により隣接周波数帯の放送信号が検知された場合に、検知された放送信号を参照して出力要求に係るアナログ放送に対応するデジタル放送のサービスを特定することを特徴とする。【選択図】図１
2018196032.tif 000002
【特許請求の範囲】
【請求項１】
共通するサービスを提供するアナログ放送とデジタル放送とを関連付けたリストを記憶する記憶部と、
前記アナログ放送の出力要求を受け付けると、前記リストを参照して対応する前記デジタル放送の有無を判定するリスト判定部と、
前記出力要求に係る前記アナログ放送の周波数の隣接周波数帯の放送信号を検知する隣接周波数帯信号検知部と、
出力する前記サービスを特定する出力情報特定部と、
前記出力情報特定部により特定される前記サービスを出力する出力部と、を備え、
前記出力情報特定部は、前記リスト判定部により対応する前記デジタル放送がないと判定され、かつ前記隣接周波数帯信号検知部により前記隣接周波数帯の放送信号が検知された場合に、検知された前記放送信号を参照して前記出力要求に係る前記アナログ放送に対応する前記デジタル放送のサービスを特定することを特徴とする、受信装置。
【請求項２】
請求項１に記載の受信装置であって、
前記出力情報特定部は、前記アナログ放送の出力要求を受け付けると、該アナログ放送の放送信号を特定し、
前記出力部は、前記アナログ放送のサービスを出力し、
前記出力情報特定部は、前記リスト判定部により対応すると判定された前記デジタル放送のサービスか、又は前記隣接周波数帯の放送信号を参照することにより特定される前記デジタル放送のサービスかを特定した場合、特定した前記サービスを示す情報を前記出力部に通知し、
前記出力部は、前記アナログ放送から前記通知に係る前記デジタル放送に出力を切り替えることを特徴とする、受信装置。
【請求項３】
請求項１に記載の受信装置であって、
前記出力情報特定部は、前記隣接周波数帯の放送信号を参照し、出力要求に係る前記アナログ放送を特定する情報が含まれる場合に、当該隣接周波数帯の放送信号を用いて提供される前記サービスを特定することを特徴とする、受信装置。
【請求項４】
請求項１に記載の受信装置であって、
放送信号を受信する第１のチューナーを備え、
前記隣接周波数帯信号検知部は、前記第１のチューナーの受信した前記隣接周波数帯の放送信号を準候補として前記記憶部に記憶させ、
前記出力部は、前記第１のチューナーの受信した前記アナログ放送を出力すると共に、前記準候補へと切り替えを行うか否かの選択を受け付ける画面を表示し、切り替えを行う選択がなされた場合に前記アナログ放送から当該準候補に係る前記サービスへと出力を切り替え、
前記出力情報特定部は、前記準候補の放送信号を参照し、前記出力要求に係る前記アナログ放送のサービスに対応する前記デジタル放送のサービスの放送信号であると判定する場合に、当該準候補に係る前記サービスの出力を継続することを特徴とする、受信装置。
【請求項５】
請求項４に記載の受信装置であって、
前記出力情報特定部は、前記出力要求に係る前記アナログ放送のサービスに対応する前記デジタル放送のサービスであると判定する場合に、当該アナログ放送及び当該デジタル放送を対応させた前記リストを生成することを特徴とする、受信装置。
【請求項６】
請求項４に記載の受信装置であって、
前記出力部は、前記準候補の放送信号が前記出力要求に係る前記アナログ放送に対応する前記デジタル放送の放送信号でないと前記出力情報特定部が判定する場合に、前記デジタル放送から前記第１のチューナーの受信する前記アナログ放送へと出力を切り替えることを特徴とする、受信装置。
【請求項７】
請求項１に記載の受信装置であって、
放送信号を受信する第１のチューナー及び第２のチューナーを備え、
前記出力部は、前記第１のチューナーの受信する前記出力要求に係る前記アナログ放送のサービスを出力し、
前記隣接周波数帯信号検知部は、前記アナログ放送の周波数の隣接周波数帯の放送信号であって、前記第２のチューナーの受信する前記放送信号の有無を判定し、当該放送信号を検知すると準候補として前記記憶部に記憶させ、
前記出力情報特定部は、前記準候補の放送信号を参照し、前記出力要求に係る前記アナログ放送のサービスに対応する前記デジタル放送のサービスであると判定する場合に、当該デジタル放送のサービスを前記出力部に通知し、
前記出力部は、前記通知を受け付けると、前記アナログ放送のサービスから前記通知において特定される前記デジタル放送のサービスへと出力を切り替えることを特徴とする、受信装置。
【請求項８】
請求項７に記載の受信装置であって、
前記出力情報特定部は、前記準候補の放送信号が前記出力要求に係る前記アナログ放送に対応する前記デジタル放送の放送信号でないと判定する場合に、前記第２のチューナーの受信可能な周波数帯域の放送信号を参照して当該アナログ放送のサービスに対応する前記デジタル放送のサービスの放送信号を特定することを特徴とする、受信装置。
【請求項９】
アナログ放送の出力要求を受け付けると、共通するサービスを提供する前記アナログ放送とデジタル放送とを関連付けたリストを参照して対応する前記デジタル放送の有無を判定するリスト判定手順と、
前記出力要求に係る前記アナログ放送の周波数の隣接周波数帯で出力された放送信号を検知する隣接周波数帯信号検知手順と、
出力する前記サービスの放送信号を特定する出力特定手順と、
前記出力特定手順において特定される前記サービスを出力する出力手順と、を備え、
前記出力特定手順において、前記リスト判定手順で対応する前記デジタル放送がないと判定され、かつ前記隣接周波数帯信号検知手順で前記隣接周波数帯の放送信号が検知された場合に、検知された前記放送信号を参照して前記出力要求に係る前記アナログ放送に対応する前記デジタル放送のサービスを特定することを特徴とする、受信方法。
【発明の詳細な説明】
【技術分野】
【０００１】
本発明は、受信装置、及び受信方法に関する。
【背景技術】
【０００２】
デジタルラジオ等の放送分野において、同じサービスをアナログ放送等の異なる放送方式で放送するサイマルキャストが普及している。
【０００３】
特許文献１には、音声サービス切替方法に関する技術が開示されている。同文献の段落〔００５３〕には、「ステップ２９において、ディジタルで受信された番組なのかアナログで受信された番組なのかが判定され、その番組は対応するＦＭ受信機またはＤＡＢ受信機へと導かれる。ステップ３０において音声復号が実行され、信号パラメータが求められる。それに基づき、切り替えが必要なのか否かが判定される。」とある。また、段落〔００１６〕には、「時間のずれを考慮し切替時に帯域幅や音量も整合させて切り替えの影響を最小にする本発明による方法によって、システム間の切り替えを行うことが提案される。同じ音声内容をもつ２つのシステム間での切り替えの影響を最低限に抑えるためには音声信号の基本的な相違を分析し、それらの相違を切り替えの際に相応に整合させる必要がある。」とある。
【先行技術文献】
【特許文献】
【０００４】
【特許文献１】特開２００２−２６１６３５号公報
【発明の概要】
【発明が解決しようとする課題】
【０００５】
アナログ放送とデジタル放送とで、サイマルキャストにより同じサービスを提供する場合がある。デジタル放送はアナログ放送よりも高音質であって、重畳されたテキストデータでサービス名や曲名等を表示することができる。そのため、アナログ放送からサイマルキャストのデジタル放送に切り替える技術の向上が望まれる。
【０００６】
特許文献１に記載された技術は、アナログ放送に対応するデジタル放送を特定するものではない。
【０００７】
本発明は、上記の点に鑑みてなされたものであって、効率的にアナログ放送の代替となるデジタル放送へ切り替える技術の提供を目的とする。
【課題を解決するための手段】
【０００８】
本願は、上記課題の少なくとも一部を解決する手段を複数含んでいるが、その例を挙げるならば、以下の通りである。
【０００９】
上記課題を解決するため、本発明の一態様に係る受信装置は、共通するサービスを提供するアナログ放送とデジタル放送とを関連付けたリストを記憶する記憶部と、前記アナログ放送の出力要求を受け付けると、前記リストを参照して対応する前記デジタル放送の有無を判定するリスト判定部と、前記出力要求に係る前記アナログ放送の周波数の隣接周波数帯の放送信号を検知する隣接周波数帯信号検知部と、出力する前記サービスを特定する出力情報特定部と、前記出力情報特定部により特定される前記サービスを出力する出力部と、を備え、前記出力情報特定部は、前記リスト判定部により対応する前記デジタル放送がないと判定され、かつ前記隣接周波数帯信号検知部により前記隣接周波数帯の放送信号が検知された場合に、検知された前記放送信号を参照して前記出力要求に係る前記アナログ放送に対応する前記デジタル放送のサービスを特定することを特徴とする。
【００１０】
また、上記課題を解決するため、本発明の他の態様に係る受信方法は、アナログ放送の出力要求を受け付けると、共通するサービスを提供する前記アナログ放送とデジタル放送とを関連付けたリストを参照して対応する前記デジタル放送の有無を判定するリスト判定手順と、前記出力要求に係る前記アナログ放送の周波数の隣接周波数帯で出力された放送信号を検知する隣接周波数帯信号検知手順と、出力する前記サービスの放送信号を特定する出力特定手順と、前記出力特定手順において特定される前記サービスを出力する出力手順と、を備え、前記出力特定手順において、前記リスト判定手順で対応する前記デジタル放送がないと判定され、かつ前記隣接周波数帯信号検知手順で前記隣接周波数帯の放送信号が検知された場合に、検知された前記放送信号を参照して前記出力要求に係る前記アナログ放送に対応する前記デジタル放送のサービスを特定することを特徴とする。
【発明の効果】
【００１１】
本発明によれば、効率的にアナログ放送の代替となるデジタル放送へ切り替える技術を提供することができる。
【００１２】
上記した以外の課題、構成、及び効果は、以下の実施形態の説明により明らかにされる。
【図面の簡単な説明】
【００１３】
【図１】受信装置のハードウェア構成の一例を示す図である。
【図２】受信装置のハードウェア構成の他の例を示す図である。
【図３】受信装置の機能ブロックの一例を示す図である。
【図４】ＤＲＭステーションリストのデータ構造を一例を示す図である。
【図５】受信処理の一例を示すフローチャートである。
【図６】受信処理の他の例を示すフローチャートである。
【発明を実施するための形態】
【００１４】
以下、図面に基づいて本発明の実施形態の例を説明する。図１は、受信装置１のハードウェア構成の一例を示す図である。受信装置１は、アナログ放送及びデジタル放送の受信再生が可能な装置であって、例えばＰＣ（Personal Computer）、スマートフォン、ラジオ機器、又は車載器等である。
【００１５】
現在、ラジオ放送において、共通するサービス（コンテンツ、又は番組と同義）をデジタル放送及びアナログ放送で提供するサイマルキャストが普及している。一例として、ＤＲＭ（Digital Radio Mondiale）放送とＡＭ放送とのサイマルキャストが挙げられる。以下、ＤＲＭ放送とＡＭ放送とのサイマルキャストを受信装置１が受信する例を用いて説明する。
【００１６】
受信装置１は、制御部１０と、チューナー３１と、ＲＯＭ４０と、ＲＡＭ５０と、表示操作部６０と、ＤＡＣ（Digital to Analog Converter）オーディオアンプ７０とを備える。制御部１０は、図示しないＣＰＵ（Central Processing Unit）等の演算装置によってその機能が実現され、受信装置１全体を統括的に制御する。
【００１７】
チューナー３１には、アンテナ２１が接続されている。アンテナ２１は、デジタル放送の放送信号、及びアナログ放送の放送信号を受信する。アンテナ２１は、受信装置１に含まれていてもよい。チューナー３１は、放送信号の周波数に同調する同調回路と、アンテナ２１を介して受信した放送信号を音声信号に復調する復調回路と、を備える。図１に示す受信装置１は、１つのチューナー３１を備えたシングルチューナー構成の受信装置である。
【００１８】
ＲＯＭ４０は、例えば不揮発性のメモリであって、プログラムや各種データの格納先として用いられる。ＲＡＭ５０は、例えば揮発性のメモリであり、プログラムやデータが一時的に読み出される記憶エリアとして機能する。なお、受信装置１は、図示しない他の記憶装置と接続されていてもよい。演算装置は、ＲＯＭ４０、ＲＡＭ５０、又は他の記憶装置に記憶されたプログラムに従って処理を実行する。後述する記憶部２０（図３）は、ＲＯＭ４０、ＲＡＭ５０、又は他の記憶装置によりその機能が実現される。
【００１９】
表示操作部６０は、タッチパネルディスプレイ等の入力及び出力可能な装置である。なお、表示操作部６０は、ディスプレイ等の表示装置と、ハードウェアキー等の入力装置とを備えるものであってもよい。ＤＡＣオーディオアンプ７０は、デジタルの音声信号をアナログ信号に変換するＤＡＣと、音声信号を増幅させるオーディオアンプと、を備える。ＤＡＣオーディオアンプ７０は、音声を出力する装置であるスピーカー８０に接続されている。スピーカー８０は、受信装置１に含まれていてもよい。
【００２０】
制御部１０は、ＯＦＤＭ（orthogonal Frequency Division Multiplexing）復調音声デコーダー１１を備える。ＯＦＤＭ復調音声デコーダー１１は、チューナー３１より出力された信号に対してＯＦＤＭ復調を行い、信号をデコードしてＤＡＣオーディオアンプ７０を介して出力させる。
【００２１】
本実施形態では、ユーザがアナログ放送又はデジタル放送の出力を行うよう、表示操作部６０に対して入力する。表示操作部６０が、アナログ放送の周波数又はアナログ放送のサービスを特定した入力操作を受け付けると、表示操作部６０は制御部１０にアナログ放送の出力要求を行う。
【００２２】
この場合、制御部１０は、アナログ放送の出力要求により特定される周波数の放送信号をアンテナ２１を介して受信し、アナログ放送を出力するよう設定する。これにより、受信した放送信号はチューナー３１により復調され、ＯＦＤＭ復調音声デコーダー１１を介さずに、ＤＡＣオーディオアンプ７０内のオーディオアンプを介してスピーカー８０により出力される。
【００２３】
一方、表示操作部６０が、デジタル放送のサービスを特定した入力操作を受け付けると、表示操作部６０は制御部１０にデジタル放送の出力要求を行う。制御部１０は、当該サービスを出力する放送信号をアンテナ２１を介して受信し、デジタル放送を出力するよう設定する。これにより、受信した放送信号はチューナー３１により復調され、ＯＦＤＭ復調音声デコーダー１１及びＤＡＣオーディオアンプ７０を介してスピーカー８０により出力される。
【００２４】
また、ＯＦＤＭ復調音声デコーダー１１は、放送信号に含まれるテキストメッセージやサービスラベルのデータをデコードする。制御部１０は、デコードされたデータを表示操作部６０を介して表示させる。
【００２５】
なお、「周波数」の用語を用いる場合、当業者の許容しうる帯域幅を有する周波数帯を含むものとして説明する。
【００２６】
図２は、受信装置１のハードウェア構成の他の例を示す図である。以下、図１と共通する処理部には共通する符号を付し、詳細な説明は省略する。図２に示す受信装置１は、チューナー３１の他にチューナー３２を有する。チューナー３２にはアンテナ２２が接続されている。チューナー３２はチューナー３１と、アンテナ２２はアンテナ２１と同様である。
【００２７】
本図に示す受信装置１は、２つのチューナーを備えたデュアルチューナー構成の受信装置である。デュアルチューナー構成の場合、デジタル放送の放送信号とアナログ放送の放送信号とを同時に受信可能である。これにより、例えばアナログ放送を受信出力しながらデジタル放送のサービスを検索する等、チューナー３１及びチューナー３２に並行して処理を実行させることができる。
【００２８】
制御部１０は、ＯＦＤＭ復調音声デコーダー１１の他、音声切替部１２を備える。音声切替部１２は、チューナー３１より出力された信号と、チューナー３２より出力され、ＯＦＤＭ復調音声デコーダー１１によりデコードされた信号とを受け付ける。音声切替部１２は、チューナー３１の受信した信号（例えばアナログ放送の信号）と、チューナー３２の受信した信号（例えばデジタル放送の信号）との間で、スピーカー８０を介して出力させる信号の切り替えを行う。
【００２９】
また、音声切替部１２は、アナログ放送及びデジタル放送の出力の切り替えを行う際、シームレスに切り替えを行うための構成を有する。具体的には、音声切替部１２は、ＲＯＭ４０又はＲＡＭ５０に蓄積されたアナログ放送の音声データとデジタル放送の音声データとを比較するコンパレータ、タイミングを同期させる遅延量可変のバッファを有する。
【００３０】
図３は、受信装置１の機能ブロックの一例を示す図である。受信装置１は、制御部１０の他、記憶部２０を有する。記憶部２０は、制御部１０の処理に必要な情報を記憶する。制御部１０は、先述した音声切替部１２の他、リスト判定部１１１と、隣接周波数帯信号検知部１１２と、出力情報特定部１１３と、出力部１１４と、を備える。なお、制御部１０は、図示しないネットワークを介して接続された他の装置との通信等を行うものであってもよい。
【００３１】
リスト判定部１１１は、周波数を特定したアナログ放送の出力要求を受け付けると、記憶部２０に保持する後述のＤＲＭステーションリストを参照し、当該アナログ放送と共通するサービスを提供するデジタル放送がＤＲＭステーションリストに含まれているか否かを判定する。
【００３２】
隣接周波数帯信号検知部１１２は、出力要求において特定されたアナログ放送の周波数の隣接周波数帯で放送されたＤＲＭの放送信号を検知する。例えば、隣接周波数帯信号検知部１１２は、隣接周波数帯域において、所定値以上のシンボルのＯＦＤＭ信号を受信した場合に、隣接周波数帯にＤＲＭの放送信号があるものと判定する。隣接周波数帯信号検知部１１２は、検知した放送信号の周波数を、準候補の周波数として記憶部２０に記憶させる。
【００３３】
出力情報特定部１１３は、出力するサービスを特定する。出力情報特定部１１３は、アナログ放送の出力要求を受け付けると、出力要求において特定された周波数で放送されているアナログ放送のサービスを、出力するサービスとして特定する。また、出力情報特定部１１３は、出力要求に係るアナログ放送のサービスに対応するデジタル放送のサービスがＤＲＭステーションリストに含まれる場合に、当該デジタル放送のサービスを、出力するサービスとして特定する。
【００３４】
また、出力情報特定部１１３は、出力要求に係るアナログ放送のサービスに対応するデジタル放送のサービスがＤＲＭステーションリストになく、かつ準候補が記憶部２０に記憶されている場合に、準候補の放送信号に含まれるＤＲＭのサービスを、出力するサービスとして特定する。また、出力情報特定部１１３は、アンテナ２１又はアンテナ２２を介してデジタル放送の放送信号を受信した場合に、当該放送信号に含まれるＡＦＳ（Alternative Frequency Signaling）情報を参照し、出力要求に係るアナログ放送のサービスに対応するか否かを判定する。
【００３５】
ここで、ＤＲＭの規格について説明する。ＤＲＭの放送信号は、ＭＳＣ（Main Service Channel）と、ＦＡＣ（Fast Access Channel）と、ＳＤＣ（Service Description Channel）と、の３つのチャンネルを含む。ＭＳＣは、放送信号の大部分を占める複合的なデータストリームであって、例えば音声ストリーム、データストリーム（曲名等のテキストデータ等、狭義のデータストリーム）等、１つから４つのストリームにより構成される。ＭＳＣは、ストリームＩＤと、ストリームの種別（音声、又はテキスト等）を示す情報を含む。
【００３６】
ＦＡＣは、サービスを見つけるために必要な情報や、信号の復調に用いられる情報を含む。ＳＤＣは、ＭＳＣの復調方法に関する情報や、共通するサービスを提供する代替可能な放送の信号を見つけるために必要な情報を含む。ＳＤＣに含まれるデータエンティティタイプを参照することにより、代替可能な放送信号に関する情報を含むＡＦＳ情報を特定可能である。
【００３７】
ＡＦＳ情報においては、ＤＲＭの放送信号に含まれる１又は複数のＤＲＭのサービス毎に、当該ＤＲＭのサービスに代替可能な放送の周波数と、当該放送を特定する識別情報と、が関連付けられている。なお、ＤＲＭの放送において、代替可能な放送の特定は義務付けられたものでないため、代替可能な放送があったとしても、必ずしもＡＦＳ情報を用いて当該放送を特定しうるとは限らない。
【００３８】
出力情報特定部１１３は、アンテナ２１又はアンテナ２２を介してデジタル放送の放送信号を受信した場合に、当該放送信号に含まれるＡＦＳ情報を参照する。出力情報特定部１１３は、出力要求に係るアナログ放送を特定する情報がＡＦＳ情報に含まれる場合に、出力要求に係るアナログ放送のサービスと、受信したデジタル放送のサービスとが対応すると判定する。
【００３９】
また、出力情報特定部１１３は、出力中のサービスと異なるサービスを、出力するサービスとして特定した場合、出力部１１４に通知する。
【００４０】
出力部１１４は、出力するサービスとして特定されたサービスの放送信号を用いて音声を出力する。出力部１１４は、出力中の信号と異なる信号を特定した通知を出力情報特定部１１３より受け付けた場合、新たに特定された信号を用いて出力を切り替える。
【００４１】
また、出力部１１４は、所定の場合に次の処理をユーザーに問い合わせる画面を生成し、表示操作部６０を介して出力する。詳細は後述する。
【００４２】
なお、音声切替部１２は、アナログ放送の放送信号とデジタル放送の放送信号とを比較し、共通するサービスであるか否かを判定する。例えば、音声切替部１２は、双方の音声データの休止部分を比較することにより、アナログ放送とデジタル放送とが共通するサービスを提供するものであるか否かを判定する。
【００４３】
また、音声切替部１２は、共通するサービスを提供するアナログ放送とデジタル放送とを切り替える際に、シームレスに切り替える制御を行う。具体的には、音声切替部１２は、双方の音声データから得られるパルス符号変調データを参照して再生タイミングを同期させることにより、シームレスに切り替えを行う。
【００４４】
なお、受信装置１が、図１に示すシングルチューナー構成である場合、受信装置１は音声切替部１２を有していなくてもよい。
【００４５】
記憶部２０は、ＤＲＭステーションリスト２１１を含む。ＤＲＭステーションリスト２１１は、ＤＲＭのサービス毎に、当該サービスに関する情報を関連付けたリストである。ＤＲＭステーションリスト２１１は、ＤＲＭの放送信号に含まれるＡＦＳ情報を参照することにより生成される。制御部１０は、所定のタイミングでアンテナ２１又はアンテナ２２の受信可能なＤＲＭの放送信号を受信し、ＯＦＤＭ復調してＡＦＳ情報を取得することにより、ＤＲＭステーションリスト２１１を更新する。
【００４６】
例えば、制御部１０は、これまでＤＲＭの放送信号を受信したことのない新たな地域へと受信装置１が移動した場合や、ユーザによるＤＲＭステーションリストの更新の操作を受け付けた場合等に、ＤＲＭの放送信号を受信してＤＲＭステーションリスト２１１を更新する。
【００４７】
図４は、ＤＲＭステーションリスト２１１のデータ構造を一例を示す図である。ＤＲＭステーションリスト２１１は、アドレスと、周波数と、サービスＩＤと、サービスラベルと、１又は複数のＡＦＳ情報と、を含む。
【００４８】
アドレスは、ＤＲＭステーションリスト２１１のレコードを特定する識別情報である。周波数は、ＤＲＭの放送信号の周波数である。サービスＩＤは、ＤＲＭのサービスを特定する識別情報である。なお、ＤＲＭステーションリスト２１１の各レコードに対してサービスＩＤは一意である。デジタル放送は、同じ周波数帯に複数のサービスを多重化して出力することができるため、異なるサービスＩＤに共通する周波数が関連付けられることがある。サービスラベルは、ＤＲＭのサービス名称を示す情報である。
【００４９】
ＡＦＳ情報は、ＤＲＭの放送信号を参照することにより得られる情報であって、ＤＲＭのサービスと関連づけられた他のサービスに関する情報である。他のサービスとは、ＤＲＭのサービスと代替可能なサービスの他、同系列の地方局のサービス等、代替が可能でないサービスが含まれ得る。
【００５０】
ＡＦＳ情報は、システムＩＤと、周波数と、サービスＩＤと、その他情報と、を含む。システムＩＤは、関連するサービスの放送システム（ＡＭ、ＦＭ、ＤＲＭ等）を特定する識別情報である。周波数は、関連するサービスの放送に用いられる周波数である。サービスＩＤは、関連するサービスを特定する識別情報である。なお、関連するサービスがアナログ放送によるものである場合、周波数でアナログ放送のサービスが特定可能であるため、ＡＦＳ情報は必ずしもサービスＩＤを含むものではない。
【００５１】
その他情報は、ＤＲＭの放送信号に含まれるその他の情報である。その他情報は、当該他のサービスがＤＲＭのサービスと代替可能であるか否かを示すフラグ（例えば、１：代替可能、０：代替不可能、等）を含む。その他情報は、関連するサービスの放送時間帯や放送地域等の情報を含んでいてもよい。
【００５２】
図５は、受信処理の一例を示すフローチャートである。本フローチャートは、図１に示すシングルチューナー構成の受信装置１により実行される処理を示す。受信装置１の表示操作部６０が、ＡＭ放送の周波数を特定した入力操作を受け付けると、本フローチャートの処理が開始される。以下、ユーザーが出力を指示した周波数のＡＭ放送のサービスをサービスＡ、サービスＡのサイマルキャストであるＤＲＭのサービスをサービスＢとして説明する。
【００５３】
まず、隣接周波数帯信号検知部１１２は、ＡＭ放送の隣接周波数帯でＤＲＭ信号の有無を確認する（ステップＳ１１）。具体的には、隣接周波数帯信号検知部１１２は、出力要求により特定されるサービスＡの隣接周波数帯を監視し、ＤＲＭの放送信号の有無を判定する。隣接周波数帯信号検知部１１２は、隣接周波数帯に１又は複数のＤＲＭの放送信号を検知した場合、検知したＤＲＭの放送信号の周波数を、準候補の周波数として記憶部２０に保持する。
【００５４】
ここで、隣接周波数帯について説明する。サイマルキャストにおいて、共通するサービスを提供する複数の放送信号を隣接周波数帯で出力する態様が多く用いられている。既存のアナログ放送に対し、ＤＲＭの放送をサイマルキャストで放送する場合において、隣接周波数帯で放送することによって、サービス提供者はＤＲＭ放送用に新たな周波数の割り当てを必要とせず、新たに送信器やアンテナ等の機器又は放送局等の設備を準備せずともＤＲＭ放送を提供することができる。
【００５５】
例えば、インド共和国においてＡＭ放送に対してサイマルキャストされているＤＲＭ放送の周波数を調べたところ、５例中３例において、アナログ放送よりも９ｋＨｚ又は１０ｋＨｚ高い周波数においてＤＲＭ放送が出力されていた。そのため、隣接周波数帯信号検知部１１２は、好ましくはアナログ放送の周波数−１０ｋＨｚを下限とし、アナログ放送の周波数＋１０ｋＨｚを上限とする周波数帯域を隣接周波数帯として、放送信号の有無を検知することが望ましい。なお、隣接周波数帯信号検知部１１２は、隣接周波数帯として、＋１０ｋＨｚ、＋９ｋＨｚ、−９ｋＨｚ、及び−１０ｋＨｚの４点で、放送信号の有無を検知してもよい。
【００５６】
次に、出力部１１４は、ＡＭ放送を受信し音声を出力する（ステップＳ２）。具体的には、出力情報特定部１１３が出力要求に係るＡＭ放送（サービスＡ）のサービスを出力するサービスとして特定し、出力部１１４に通知する。出力部１１４は、サービスＡの音声をスピーカー８０から出力する。
【００５７】
次に、リスト判定部１１１は、ＤＲＭステーションリスト２１１に同一サービス候補があるか否かを判定する（ステップＳ１３）。具体的には、リスト判定部１１１は、サービスＡの周波数を用いてＤＲＭステーションリスト２１１を参照し、当該周波数をＡＦＳ情報の周波数として有し、ＤＲＭのサービスと代替可能であることを示すフラグをその他情報に含むＤＲＭステーションリスト２１１のレコードの有無を判定する。
【００５８】
リスト判定部１１１が、ＤＲＭステーションリスト２１１に同一サービス候補がないと判定する場合（ステップＳ１３で「ＮＯ」の場合）、出力情報特定部１１３は、ステップＳ１１で準候補の周波数を記憶させたか否かを判定する（ステップＳ１４）。出力情報特定部１１３が、ステップＳ１１で準候補の周波数を記憶させていないと判定する場合（ステップＳ１４で「ＮＯ」の場合）、制御部１０は本フローチャートの処理を終了する。即ち、出力部１１４はサービスＡの音声出力を継続する。
【００５９】
出力情報特定部１１３が、ステップＳ１１で準候補の周波数を記憶させたと判定する場合（ステップＳ１４で「ＹＥＳ」の場合）、出力部１１４は、準候補への切り替えを促す通知を行う（ステップＳ１５）。具体的には、出力部１１４は、準候補が存在するため、準候補へと出力の切り替えを行うか否かを選択させる表示画面を表示させる。
【００６０】
次に、出力情報特定部１１３は、切り替えを選択されたか否かを判定する（ステップＳ１６）。具体的には、出力情報特定部１１３は、ステップＳ１５で出力された表示画面に対し、切り替えを選択する入力を受け付けたか否かを判定する。
【００６１】
出力情報特定部１１３が、切り替えを選択されないと判定する場合（ステップＳ１６で「ＮＯ」の場合）、出力情報特定部１１３は、本フローチャートの処理を終了する。具体的には、出力情報特定部１１３は、切り替えを選択しないとする入力を受け付けたか、又は画面表示後一定期間が経過した場合に、切り替えを選択されなかったものと判定する。即ち、出力部１１４はサービスＡの音声出力を継続する。
【００６２】
出力情報特定部１１３が、切り替えを選択されたと判定する場合（ステップＳ１６で「ＹＥＳ」の場合）出力部１１４は、準候補のＤＲＭ音声に切り替えて出力する（ステップＳ１７）。具体的には、出力情報特定部１１３が、準候補の周波数において放送されているＤＲＭの放送信号に係るサービスを、出力するサービス（サービスＢ）として特定する。なお、準候補の周波数において、複数のサービスが多重化して出力されている場合、出力情報特定部１１３は、多重化されたサービスのうち任意のサービスを、出力するサービスに特定する。例えば、出力情報特定部１１３は、ストリームＩＤの最も若いサービスを、出力するサービスに特定する。出力部１１４は、出力情報特定部１１３の特定したサービスの信号を用いて、サービスＡの音声からサービスＢの音声へと出力を切り替える。
【００６３】
次に、出力情報特定部１１３は、ＳＤＣをデコードし、準候補のＡＦＳ情報を特定する（ステップＳ１８）。具体的には、出力情報特定部１１３は、準候補の周波数において放送されたＤＲＭの放送信号を参照し、ＡＦＳ情報を特定する。なお、先述したように、ＤＲＭの放送において、代替可能な放送の特定が義務付けられたものでないため、出力情報特定部１１３がＡＦＳ情報を特定できないか、又はＡＦＳ情報に代替可能な他の放送を示す情報が含まれない場合がある。
【００６４】
（削除）
【００６５】
次に、出力情報特定部１１３は、ＡＦＳ情報を用いてサービスを確認する（ステップＳ１９）。出力情報特定部１１３は、ＡＭ放送のサービスと、ＤＲＭのサービスとを比較する。具体的には、出力情報特定部１１３は、出力要求に係るＡＭ放送のサービスに関する情報を用いて、ステップＳ１８で特定したＡＦＳ情報を参照する。出力情報特定部１１３は、出力要求に係るＡＭ放送のサービスに関する情報が、出力中のＤＲＭのサービスに代替可能なサービスとして、ＡＦＳ情報に含まれる場合に、「同一サービス」であると判定する。
【００６６】
又は、出力情報特定部１１３は、出力中のＤＲＭのサービスに代替可能なサービスとして、出力要求に係るＡＭ放送のサービスでない、他のＡＭ放送のサービスが含まれている場合に、「異なるサービス」であると判定する。又は、出力情報特定部１１３は、上記のいずれでもない場合、例えば出力中のＤＲＭのサービスに代替可能なサービスが含まれていない場合に、「ＡＦＳ情報なし」と判定する。
【００６７】
出力情報特定部１１３が、「同一サービス」であると判定する場合（ステップＳ１９で「同一サービス」の場合）、出力情報特定部１１３は、ＤＲＭステーションリスト２１１を更新する（ステップＳ２０）。具体的には、出力情報特定部１１３は、現在出力しているＤＲＭ放送のサービスと、ステップＳ１２において出力していたＡＭ放送のサービスとを関連付けて、ＤＲＭステーションリスト２１１を更新する。
【００６８】
なお、出力情報特定部１１３は、ＤＲＭステーションリスト２１１の更新に代えて、代替可能なＡＭ放送のサービスとＤＲＭ放送のサービスとを関連付けた切替履歴情報を作成してもよい。その場合、出力情報特定部１１３は、前述のステップＳ１３においてＤＲＭステーションリスト２１１を参照する処理と並行又は前後して、切替履歴情報を参照し、出力要求に係るＡＭ放送のサービスに対し切替履歴のあるＤＲＭ放送のサービスを特定する。
【００６９】
これにより、ＡＭ放送のサービスについて出力要求を受け付けた場合、切替履歴のあるＤＲＭ放送のサービスを、出力するサービスとして特定することができる。従って、代替可能なサービスを効率的に特定することができる。その後、出力情報特定部１１３は本フローチャートの処理を終了する。
【００７０】
出力情報特定部１１３が、「ＡＦＳ情報なし」と判定する場合（ステップＳ１９で「ＡＦＳ情報なし」の場合）、出力部１１４は、ＤＲＭ聴取の継続を問い合わせる画面を出力する（ステップＳ２１）。具体的には、出力部１１４は、ステップＳ１９において出力を開始したＤＲＭ放送のサービスについて、出力を継続するか否かの選択を受け付ける画面を表示させる。
【００７１】
出力情報特定部１１３は、ステップＳ２１において表示した画面に対して入力された情報を用いて、出力を継続するか否かを判定する（ステップＳ２２）。出力情報特定部１１３は、出力を継続すると判定する場合（ステップＳ２２で「ＹＥＳ」の場合）、本フローチャートの処理を終了する。
【００７２】
出力情報特定部１１３が、出力を継続しないと判定する場合（ステップＳ２２で「ＮＯ」の場合）、出力情報特定部１１３は、処理をステップＳ２６に進める。
【００７３】
出力情報特定部１１３が、「異なるサービス」であると判定する場合（ステップＳ１９で「異なるサービス」の場合）、出力情報特定部１１３は、処理をステップＳ２６に進める。
【００７４】
リスト判定部１１１が、ＤＲＭステーションリスト２１１に同一サービス候補があると判定する場合（ステップＳ１３で「ＹＥＳ」の場合）、出力部１１４は、ＡＭ音声からＤＲＭの同一サービス候補の音声に切り替える（ステップＳ２３）。具体的には、サービスＡの周波数をＡＦＳの周波数に有し、ＤＲＭのサービスと代替可能であることを示すフラグをその他情報に含む、ＤＲＭステーションリスト２１１のレコードを特定する。
【００７５】
出力情報特定部１１３は、当該レコードに含まれるＤＲＭのサービスを、出力するサービスとして特定し、出力部１１４に通知する。出力部１１４は、ＡＭ放送の音声から、出力情報特定部１１３により特定されたＤＲＭ放送のサービスであるサービスＢの音声へと出力を切り替える。即ち、出力部１１４は、ＡＭ放送の出力から、代替可能なＤＲＭ放送の出力へと切り替える。
【００７６】
次に、出力情報特定部１１３は、出力中のＤＲＭ放送の放送信号を参照し、ＡＦＳ情報を特定する（ステップＳ２４）。
【００７７】
次に、出力情報特定部１１３は、同一サービスであるか否かを判定する（ステップＳ２５）。具体的には、出力情報特定部１１３は、ステップＳ２４で特定したＡＦＳ情報に、出力中のＤＲＭのサービスに代替可能なサービスとしてサービスＡに関する情報が含まれる場合に、同一サービスであると判定する。出力情報特定部１１３は、同一サービスであると判定する場合に（ステップＳ２５で「ＹＥＳ」の場合）、本フローチャートの処理を終了する。即ち、サービスＢの出力が継続される。
【００７８】
出力情報特定部１１３が、同一サービスでないと判定する場合（ステップＳ２５で「ＮＯ」の場合）、又はステップＳ１９で「ＮＯ」の場合、又はステップＳ２２で「ＮＯ」の場合、出力部１１４は、ＤＲＭの音声から、ＡＭの音声へと出力を切り替える（ステップＳ２６）。具体的には、出力情報特定部１１３が、ステップＳ１２で出力を開始したＡＭ放送のサービス（サービスＡ）を出力するサービスに特定し、出力部１１４に通知する。出力部１１４は、音声ソースをＤＲＭからＡＭへと切り替え、サービスＢの出力に替わってサービスＡの出力を行う。即ち、出力部１１４はサービスＢからサービスＡへと出力を切り替える。その後、出力情報特定部１１３は本フローチャートの処理を終了する。
【００７９】
なお、上述のステップＳ１９において、準候補の周波数において複数のサービスが多重化して放送されている場合、出力情報特定部１１３は、複数のサービスの各々についてＡＦＳ情報を参照し、サービスＡとの比較を行うものであってもよい。又は、出力情報特定部１１３は、重畳された複数のサービスのうち出力するサービスの選択を受け付ける画面を出力部１１４を介して表示させてもよい。
【００８０】
また、上述のステップＳ１４において、複数の異なる準候補の周波数が記憶部２０に記憶されている場合、出力情報特定部１１３は、各々の準候補において、ステップＳ１５以降の処理を繰り返してもよい。その場合、ステップＳ１９において出力するＤＲＭのサービスのＡＦＳ情報に、ステップＳ１２において出力したサービスＡに係る情報が、代替可能なサービスとして含まれると出力情報特定部１１３が判定（ステップＳ１９で「同一サービス」と判定）した時点で、出力情報特定部１１３が本フローチャートの処理を終了する。
【００８１】
本実施形態により、アナログ放送から同一サービスのデジタル放送に出力を切り替える受信装置１において、予め生成されたリストに代替可能なサービスに関する情報がない場合、代替可能なデジタル放送が出力されている可能性の高い隣接周波数帯の放送信号を参照する。これにより、代替可能なデジタル放送のサービスを効率的に特定し、出力することができる。
【００８２】
また、シングルチューナー構成において、隣接周波数帯の準候補に係るサービスを出力し、ＡＦＳ情報を参照してＡＭ放送と代替可能なサービスであるか否かを判定する。これにより、限られたチューナーのリソースを有効に活用し、より確実にアナログ放送に対応するデジタル放送を特定することができる。
【００８３】
図６は、受信処理の他の例を示すフローチャートである。本フローチャートは、図２に示すデュアルチューナー構成の受信装置１により実行される処理を示す。本フローチャートの処理は、図５に示すフローチャートの処理と同様に、受信装置１の表示操作部６０が、ＡＭ放送の周波数を特定した入力操作を受け付けると開始される。
【００８４】
ステップＳ３１及びステップＳ３２において行われる処理は、図５に示すステップＳ１１２及びステップＳ１３において行われる処理と同様であるため、説明を省略する。
【００８５】
リスト判定部１１１が、ＤＲＭステーションリスト２１１に同一サービス候補がないと判定する場合（ステップＳ３２で「ＮＯ」の場合）、隣接周波数帯信号検知部１１２は、ＡＭの隣接周波数帯でＤＲＭ信号の有無を確認する（ステップＳ３３）。本処理は、図５に示すステップＳ１１において行われる処理と同様である。なお、受信装置１がデュアルチューナー構成であるため、サービスＡの出力と並行して隣接周波数帯のＤＲＭの放送信号の検知を行うことが可能である。
【００８６】
出力情報特定部１１３は、準候補の周波数が記憶部２０に記憶されているか否かを判定する（ステップＳ３４）。
【００８７】
ステップＳ３５において行われる処理は、図５に示すステップＳ１８において行われる処理と同様であるため、説明を省略する。また、ステップＳ３６からステップＳ３７において行われる処理は、図５に示すステップＳ１９からステップＳ２０において行われる処理と同様であるため、説明を省略する。
【００８８】
出力情報特定部１１３が、「ＡＦＳ情報なし」と判定する場合（ステップＳ３６で「ＡＦＳ情報なし」の場合）、音声切替部１２は、出力中のＡＭ放送のサービスと、準候補に係るサービスとが同一サービスであるか否かを判定する（ステップＳ３８）。具体的には、音声切替部１２は、サービスＡを受信しているチューナーと異なるチューナーを用いて準候補の放送信号を受信し、サービスＡの放送信号と準候補の放送信号とを比較することにより、サービスＡと準候補に係るＤＲＭ放送のサービスとが共通するか否かを判定する。
【００８９】
音声切替部１２が、出力中のＡＭ放送のサービスと、準候補に係るサービスとが同一サービスでないと判定する場合（ステップＳ３８で「ＮＯ」の場合）、又はステップＳ３４で「ＮＯ」の場合、又はステップＳ３６で「ＮＯ」の場合、出力情報特定部１１３は、所定の周期でＤＲＭの放送信号を受信し、ＡＦＳ情報を特定する（ステップＳ３９）。
【００９０】
具体的には、出力情報特定部１１３は、出力中のＡＭ放送を受信しているチューナーと異なるチューナーを用いて、受信装置１の受信可能なＤＲＭ放送の放送信号を受信してＡＦＳ情報を参照する。
【００９１】
次に、出力情報特定部１１３は、ＡＦＳ情報を参照した結果、同一サービスを特定したか否かを判定する（ステップＳ４０）。具体的には、出力情報特定部１１３は、ステップＳ３９で参照するＡＦＳ情報に、出力中のＡＭ放送のサービスが代替可能なサービスとして含まれているか否かを判定する。出力情報特定部１１３は、ＡＦＳ情報にＡＭ放送のサービスが代替可能なサービスとして含まれている場合に、同一サービスがあると判定する。
【００９２】
出力情報特定部１１３は、同一サービスがないと判定する場合（ステップＳ４０で「ＮＯ」の場合）、処理をステップＳ３９に戻す。即ち、出力情報特定部１１３は、受信可能な周波数帯域において送信されているＤＲＭ放送の放送信号について、サービスＡと代替可能なＤＲＭ放送のサービスが特定されるまで、本処理を繰り返す。
【００９３】
なお、受信装置１の受信可能な周波数帯域において出力されたＤＲＭの放送信号のすべてについて、ＡＦＳ情報を参照した結果、サービスＡに代替可能なＤＲＭ放送のサービスが特定されなかった場合、出力情報特定部１１３は本フローチャートの処理を終了する。結果として、サービスＡの出力が継続される。
【００９４】
リスト判定部１１１が、ＤＲＭステーションリスト２１１に同一サービス候補があると判定する場合（ステップＳ３２で「ＹＥＳ」の場合）、出力情報特定部１１３は、同一サービス候補のＡＦＳ情報を特定する（ステップＳ４１）。出力情報特定部１１３は、サービスＡを受信しているアンテナと異なるアンテナを用いて同一サービス候補の放送信号を受信し、受信したＤＲＭの放送信号のＡＦＳ情報を特定する。
【００９５】
次にステップＳ４２で行われる処理は、図５に示すステップＳ２５で行われる処理と同様であるため、説明を省略する。ステップＳ４２で「ＮＯ」の場合、隣接周波数帯信号検知部１１２は、ステップＳ３３の処理を行う。
【００９６】
ステップＳ３７に引き続いて、又はステップＳ３８で「ＹＥＳ」の場合、又はステップＳ４０で「ＹＥＳ」の場合、又はステップＳ４２で「ＹＥＳ」の場合、出力部１１４は、ＤＲＭのサービスを出力する（ステップＳ４３）。具体的には、出力情報特定部１１３が、出力を行うＤＲＭのサービスを特定する。音声切替部１２は、出力中のアナログ放送のサービスＡから、出力情報特定部１１３が特定したＤＲＭのサービスＢへと、出力する音声をシームレスに切り替える。出力部１１４は、サービスＢの信号を用いて、音声を出力する。
【００９７】
本実施形態によれば、アナログ放送を出力しながら効率的に出力を行うＤＲＭのサービスを特定することができる。特に、隣接周波数帯において受信した放送信号を優先的に参照するため、ＤＲＭのサービスを出力するまでに要する処理速度の向上に寄与する。
【００９８】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【００９９】
また、上記の受信装置１の機能構成は、理解を容易にするために、主な処理内容に応じて分類したものである。構成要素の分類の仕方や名称によって、本願発明が制限されることはない。上述に示す通り、受信装置１の構成は、処理内容に応じて、さらに多くの構成要素に分類することもできる。また、１つの構成要素がさらに多くの処理を実行するように分類することもできる。
【符号の説明】
【０１００】
１：受信装置、１０：制御部、１１：ＯＦＤＭ復調音声デコーダー、１２：音声切替部、２０：記憶部、２１・２２：アンテナ、３１・３２：チューナー、４０：ＲＯＭ、５０：ＲＡＭ、６０：表示操作部、７０：ＤＡＣオーディオアンプ、８０：スピーカー、１１１：リスト判定部、１１２：隣接周波数帯信号検知部、１１３：出力情報特定部、１１４：出力部、２１１：ＤＲＭステーションリスト
【図１】
2018196032.tif 000003
【図２】
2018196032.tif 000004
【図３】
2018196032.tif 000005
【図４】
2018196032.tif 000006
【図５】
2018196032.tif 000007
【図６】
2018196032.tif 000008